(57)【要約】      （修正有）【課題】ペーパーを片手で確実かつ容易に切断することのできるロールペーパーホルダーを提供する。【解決手段】ロールペーパーホルダー１は、背板部３および左右の側板部４，４から構成されるホルダー本体２と、ロールペーパーＲを回転自在に支持するロール支持部７と、突部１１によりロールペーパーＲの上面を押える第１押え板部１０と、を有するものであって、ロールペーパーＲからのペーパーを載置する載置杆部２２と、載置杆部２２上のペーパーを押える第２押え板部１７と、載置杆部２２よりも前方に配置された受け杆部２５と、受け杆部２５上に載置される先板部１９と、上下揺動支点として先板部１９を揺動自在に保持する保持部２７と、載置杆部２２からのペーパーを切断するための切断刃部２０Ａと、を備えている。【選択図】図３
2016129597.tif 000002
【特許請求の範囲】
【請求項１】
壁面などに取り付けられる背板部、および背板部の左右両端部から前方に延びて互いに対向する左右の側板部から構成されるホルダー本体と、
ホルダー本体の側板部に設けられロールペーパーの中心空洞部と係合してロールペーパーを回転自在に支持するロール支持部と、
ホルダー本体の後部に上下揺動自在に連結されていて前端部の突部によりロールペーパーの上面を押える第１押え板部と、
を有するロールペーパーホルダーであって、
ホルダー本体の両側板部の前部間に架け渡されていてロールペーパーからのペーパーを載置する載置杆部と、
第１押え板部の前端部に上下揺動自在に連結されていて載置杆部上のペーパーを押える第２押え板部と、
載置杆部よりも前方位置の側板部間に架け渡された受け杆部と、
第２押え板部の前端部に上下揺動自在に連結されていて受け杆部上に載置される先板部と、
受け杆部に設けられていて先板部の上下揺動支点として先板部を揺動自在に保持する保持部と、
先板部の前部下辺に設けられていて載置杆部から垂れ下がったペーパーを切断するための切断刃部と、
を備えて成ることを特徴とするロールペーパーホルダー。
【請求項２】
先板部に上下貫通した貫通溝部が形成され、貫通溝部と保持部とが係脱可能に係合する構成にされている請求項１に記載のロールペーパーホルダー。
【請求項３】
第１押え板部に、前記突部をロールペーパーの上面に押しつけるための錘体部が設けられている請求項１または請求項２に記載のロールペーパーホルダー。
【請求項４】
ロール支持部が、ロールペーパーの中心空洞部に挿通される軸部材と、左右の側板部の互いに対向する内側面に各側板部の上面から下向きに刻設された支持用溝部と、から構成されていて、ロールペーパーの中心空洞部に挿通された軸部材の両端部が、左右の支持用溝部に支持されるように成っている請求項１から請求項３のいずれか一項に記載のロールペーパーホルダー。
【発明の詳細な説明】
【技術分野】
【０００１】
本発明は、例えばトイレットペーパーなどを片手で切断するためのロールペーパーホルダーに関するものである。
【背景技術】
【０００２】
従来、この種のロールペーパーホルダーとしては、下記の特許文献１に開示されたものが知られている。斯かる文献開示のトイレットペーパーホルダーは、壁面などに取り付けられる支柱と、この支柱の下端に横設されていてロールペーパーの中心空洞部に挿し込まれる心棒と、支柱の上端に横設された水平板と、水平板の後部に形成されていてロールペーパーからのペーパーを上向きに通す第１挿通孔部と、水平板の前部に形成されていて第１挿通孔部からのペーパーを下向きに通す第２挿通孔部と、第２挿通孔部よりも前方位置の水平板に設けられていて第２挿通孔部からもペーパーを切断するカッターと、から構成されている。
このトイレットペーパーホルダーにおいて、心棒に装着されたロールペーパーから繰り出されたペーパーの先端は、第１挿通孔部と第２挿通孔部を通されたのちにカッターに下方に位置している。そこで、利用者は、ペーパーの先端を片手で持って引き出したのち、上方向に持ち上げてカッターで切るようにしている。
【先行技術文献】
【特許文献】
【０００３】
【特許文献１】特開２００６−１６７４０６号公報
【発明の概要】
【発明が解決しようとする課題】
【０００４】
しかしながら、前記文献開示のトイレットペーパーホルダーにおいて、ペーパーを使用するにあたりペーパーは第２挿通孔部から下向きに引き出されるが、第１挿通孔部と第２挿通孔部でのペーパー通過方向が上下逆方向であるために、大きな摺動抵抗がかかる。従って、ペーパーを引き出すためには大きな力が必要になる。一方、ロールペーパーは回転自由であるために、大きな力で引かれると回りすぎて、ロールペーパーからのペーパーが第１挿通孔部に向かわず、カッターの下方位置に大量に飛び出てしまう。
また、カッターで切断するときに引っ張られるペーパーは、第１挿通孔部および第２挿通孔部で摺動抵抗を受けるだけなので、確実に止めることが難しく、所望位置で確実かつ円滑に切断し難いというおそれがあった。
【０００５】
本発明は、上記した従来の問題点に鑑みてなされたものであって、ロールペーパーからのペーパーを片手で確実かつ容易に切断することのできるロールペーパーホルダーの提供を目的とする。
【課題を解決するための手段】
【０００６】
上記目的を達成するために、本発明に係るロールペーパーホルダーは、壁面などに取り付けられる背板部、および背板部の左右両端部から前方に延びて互いに対向する左右の側板部から構成されるホルダー本体と、ホルダー本体の側板部に設けられロールペーパーの中心空洞部と係合してロールペーパーを回転自在に支持するロール支持部と、ホルダー本体の後部に上下揺動自在に連結されていて前端部の突部によりロールペーパーの上面を押える第１押え板部と、を有するロールペーパーホルダーであって、ホルダー本体の両側板部の前部間に架け渡されていてロールペーパーからのペーパーを載置する載置杆部と、第１押え板部の前端部に上下揺動自在に連結されていて載置杆部上のペーパーを押える第２押え板部と、載置杆部よりも前方位置の側板部間に架け渡された受け杆部と、第２押え板部の前端部に上下揺動自在に連結されていて受け杆部上に載置される先板部と、受け杆部に設けられていて先板部の上下揺動支点として先板部を揺動自在に保持する保持部と、先板部の前部下辺に設けられていて載置杆部から垂れ下がったペーパーを切断するための切断刃部と、を備えて成ることを特徴とする構成にしてある。
【０００７】
また、前記構成において、先板部に上下貫通した貫通溝部が形成され、貫通溝部と保持部とが係脱可能に係合する構成にされているものである。
【０００８】
そして、前記した各構成において、第１押え板部に、前記突部をロールペーパーの上面に押しつけるための錘体部が設けられているものである。
【０００９】
更に、前記した各構成において、ロール支持部が、ロールペーパーの中心空洞部に挿通される軸部材と、左右の側板部の互いに対向する内側面に各側板部の上面から下向きに刻設された支持用溝部と、から構成されていて、ロールペーパーの中心空洞部に挿通された軸部材の両端部が、左右の支持用溝部に支持されるように成っているものである。
【発明の効果】
【００１０】
本発明に係るロールペーパーホルダーによれば、ロールペーパーからのペーパーを載置する載置杆部と、載置杆部上のペーパーを押える第２押え板部と、載置杆部よりも前方位置の受け杆部と、第２押え板部の前端部に連結された先板部と、先板部の上下揺動支点としての保持部と、先板部の前部下辺に設けられた切断刃部と、を備えているので、載置杆部上からのペーパーが手で持ち上げられて切断刃部に当てられると、保持部を支点として先板部の後部が引き下げられる。これに伴って、第２押え板部も引き下げられてペーパーを載置杆部上に押しつける。同時に、第１押え板部も引き下げられ突部がロールペーパーを押圧するので、ロールペーパーの回転およびペーパーの繰り出しを阻止し得る。その結果、ペーパー切断時のロールペーパーの回転を確実に阻止するとともに、ペーパーを片手で確実かつ容易に切断することができる。
【００１１】
また、先板部に上下貫通した貫通溝部が形成され、貫通溝部と保持部とが係脱可能に係合する構成にされているものでは、保持部を貫通溝部から取り外して先板部および第２押え板部を上げることができるので、載置杆部の上方が開放される。従って、ロールペーパーから引き出したペーパーを載置杆部上に容易にセットすることができる。
【００１２】
そして、第１押え板部に錘体部が設けられているものでは、錘体部の重さにより、第１押え板部の突部がロールペーパーの上面をしっかりと押えるので、ペーパー切断時のロールペーパーの無用な回転を阻止することができる。
【００１３】
更に、ロールペーパーの中心空洞部に挿通された軸部材の両端部が、左右の側板部の支持用溝部に支持されるものでは、紙管付きロールペーパーと紙管無しロールペーパーのいずれでも軸部材を相通して用いることができる。特に、紙管無しロールペーパーを用いる場合は、中心近くまでの多量のペーパーを使い切ることができ、最後に紙管を残すこともない。
【図面の簡単な説明】
【００１４】
【図１】本発明の一実施形態に係るロールペーパーホルダーの斜視図である。
【図２】前記ロールペーパーホルダーの平面図である。
【図３】前記ロールペーパーホルダーの側面図である。
【図４】前記ロールペーパーホルダーの第１押え板部などを開放した状態を示す一部断面を含む側面図である。
【図５】前記ロールペーパーホルダーにロールペーパーを装着しペーパーを載置杆部に載せたのちに第１押え板部などを被せた状態を示す一部断面を含む側面図である。
【図６】前記ロールペーパーホルダーにおいてペーパーを手で持って引き出す状態を示す一部断面を含む側面図である。
【図７】前記ロールペーパーホルダーにおいてペーパーを手で引き上げて切断しようとしている状態を示す一部断面を含む側面図である。
【図８】前記ロールペーパーホルダーにおいて残量が少なくなったロールペーパーからのペーパーを手で引き上げて切断しようとしている状態を示す一部断面を含む側面図である。
【図９】ロールペーパーおよびロール支持部を示す図であって、（Ａ）（ａ）はこの実施形態に係る紙管無しのロールペーパーと軸部材を示す外観図、（Ａ）（ｂ）は（Ａ）（ａ）のロールペーパーを支持するロール支持部を有するホルダー本体を示す正面図、（Ｂ）（ａ）は別の実施形態に係る紙管付きのロールペーパーを示す外観図、（Ｂ）（ｂ）は（Ｂ）（ａ）のロールペーパーを支持するロール支持部を有するホルダー本体を示す正面図、（Ｂ）（ｃ）は（Ｂ）（ａ）の紙管付きロールペーパーに（Ａ）（ａ）の軸部材を挿通した状態を示す側面図である。
【発明を実施するための形態】
【００１５】
本発明の実施形態を図面に基づいて説明する。尚、以下に述べる実施形態は本発明を具体化した一例に過ぎず、本発明の技術的範囲を限定するものでない。図１は本発明の一実施形態に係るロールペーパーホルダーの斜視図、図２は前記ロールペーパーホルダーの平面図、図３は前記ロールペーパーホルダーの側面図である。
各図において、この実施形態に係るロールペーパーホルダー１は、平面視で凹の字状に形成されたホルダー本体２と、ホルダー本体２の後部に後端部１０Ｂを上下揺動自在に連結された第１押え板部１０と、ロールペーパーＲの中心空洞部Ｃと係合してロールペーパーＲを回転自在に支持するロール支持部７と、を有している。
【００１６】
前記のホルダー本体２は、壁面Ｋなどに木ネジ２３などで取り付けられる背板部３、および、背板部３の左右両端部から前方に延びて互いに対向する左右の側板部４，４から構成されている。各側板部４は、背板部３と一体に形成された一体部５と、一体部５の側面にビス２４などで固定されて前方に延びる延板部６と、から構成されている。前記の第１押え板部１０は、その後端部１０Ｂが左右のヒンジ部１５，１５を介して側板部４の一体部５の後上部に上下揺動自在に支持されている。各ヒンジ部１５は、第１押え板部１０の左右後部に内向きに陥入して形成された軸穴１４と、一体部５の後上部に内向きに突出していて軸穴１４に挿通され支持される枢軸１３と、から構成されている。第１押え板部１０の前端部下面には、錘体部１２が接着剤またはビスなどにより固設されている。この錘体部１２は、錘体部１２の前端にある突部１１よりも後方の部分が下向きに膨出して形成されている。すなわち、錘体部１２はその重さにより、第１押え板部１０の突部１１をロールペーパーＲの上面に押しつけるようになっている。尚、汎用のホルダー本体では、枢軸１３にコイルバネが取り付けられていて、第１押え板部１０の前端部１０ＡをロールペーパーＲの上面に押しつけるようになっているものもあるが、前記の錘体部１２は、そのようなコイルバネを持たない本実施形態のホルダー本体２に好適に使用され得る。また、合成樹脂材料を採用して成型により、錘体部１２を第１押え板部１０と一体構成にしても構わない。
【００１７】
各側板部４の一体部５の内側面５Ａには、やや後ろ方向下向きに傾斜した支持用溝部８が形成されている。この支持用溝部８の上面開口８Ａは一体部５の上面に開口している。一方、紙管無しのロールペーパーＲの中心空洞部Ｃには、軸部材９が挿通されている（図９（Ａ）も参照）。ロールペーパーＲに挿通された軸部材９の両端部が左右両側の支持用溝部８，８に装入されて支持されることにより、ロールペーパーＲが回転自由となっている。すなわち、左右の支持用溝部８，８と軸部材９とから、ロール支持部７が構成される。
【００１８】
更に、ロールペーパーホルダー１は、載置杆部２２と、第２押え板部１７と、受け杆部２５と、先板部１９と、保持部２７と、刃体２０と、を備えている。左右の延板部（側板部）６，６の前部の内側面には、受け筒体２１，２１が固設されており、対向する受け筒体２１，２１内に載置杆部２２が架け渡されて支承されている。この載置杆部２２は、ロールペーパーＲから繰り出されたペーパーＰを載置するようになっている。尚、第１押え板部１０の突部１１と載置杆部２２との間は、比較的大きな間隔があけられている（図５の隙間Ｓ参照）。受け筒体２１，２１の外周面の前部には、前方に突出した向きで連結板２６，２６が固設されている。双方の連結板２６，２６の下面には、受け杆部２５の左右端部が固設されている。すなわち、受け杆部２５は、載置杆部２２よりも前方位置で連結板２６，２６に支持されて架け渡されている。
【００１９】
前記の第２押え板部１７は、その後端部１７Ｂがヒンジ部１６を介して第１押え板部１０の前端部１０Ａに上下揺動自在に連結されている。ヒンジ部１６は、第２押え板部１７の後端部１７Ｂに左右離間して形成された２つの軸筒３２，３２と、第１押え板部１０の前端部１０Ａに形成されていて軸筒３２，３２の間に配置される軸筒３１と、軸筒３２，３１，３２に一連に挿通される枢軸３３と、から構成されている。この第２押え板部１７は、載置杆部２２上に載せられているペーパーＰをその前端部１７Ａで押えるようになっている。
【００２０】
前記の先板部１９は、その後端部１９Ｂがヒンジ部１８を介して第２押え板部１７の前端部１７Ａに上下揺動自在に連結されている。ヒンジ部１８は、先板部１９の後端部１９Ｂに左右離間して形成された２つの軸筒３５，３５と、第２押え板部１７の前端部１７Ａに形成されていて軸筒３５，３５の間に配置される軸筒３４と、軸筒３５，３４，３５に一連に挿通される枢軸３６と、から構成されている。そして、この先板部１９は、その前後途中の部分が受け杆部２５上に載置されるようになっている。これらの第２押え板部１７と先板部１９は、利用者がロールペーパーＲのペーパーＰの残量を知り得るように、透明部材で構成されている。
【００２１】
そして、先板部１９には、前後に長い貫通溝部３０が上下貫通して形成されている。一方、貫通溝部３０と対面する位置の受け杆部２５には、雌ネジ部を有する軸穴２９が上下貫通して形成されている。この軸穴２９には、把手状の保持部２７と一体に形成された軸部材２８の雄ネジ部が螺着される。すなわち、保持部２７は受け杆部２５に設けられており、貫通溝部３０と係脱可能に係合する。そして、保持部２７の下面と先板部１９の上面との間には隙間が設けられていて、先板部１９は保持部２７に保持されながらも自由に動けるようになっている。すなわち、保持部２７は、先板部１９の上下揺動支点として先板部１９を揺動自在に保持するようになっている。先板部１９の前部には、薄板状の刃体２０が両側のスペーサ３７，３７を介して取り付けられている。この刃体２０の下辺には、切断刃部２０Ａが形成されている。この切断刃部２０Ａは、載置杆部２２から垂れ下がったペーパーＰを切断するために用いられる。尚、前記したスペーサ３７，３７により、先板部１９の前端面と刃体２０との間に、隙間３８が形成されている。この隙間３８の存在により、ペーパーＰを切断する際に刃体２０が前後方向（図２中の矢印Ｔ方向）に振動するので、切断刃部２０Ａの切れ味を高め、極めて円滑にペーパーＰを切断できるようになっている。
【００２２】
上記のように構成されたロールペーパーホルダー１の作用を次に説明する。この場合、第１押え板１０がホルダー本体２の上面開口を蓋い、第２押え板１７が載置杆部２２上に載置され、先板部１９が受け杆部２５上に載置されている状態から説明する。
先ず、図４に示すように、第１押え板１０を枢軸１３回りに回動させて（矢印Ｙ１）、ホルダー本体２の上面開口を開放する。このとき、第２押え板１７は自重により矢印Ｙ２のように枢軸３３回りに揺動し、先板部１９は手などで跳ね上げられて矢印Ｙ３のように枢軸３６回りに揺動する。次に、ロールペーパーＲに挿通された軸部材９の両端を左右の上面開口８Ａ，８Ａから支持用溝部８，８内に装入し（矢印Ｖ１）、それぞれの底部で支持させる。これにより、ロールペーパーＲが回転自由に支持される。そして、ロールペーパーＲからペーパーＰを繰り出して（矢印Ｖ２）、載置杆部２２上に載置させたのち、ペーパーＰの先端側を垂れ下がらせる（矢印Ｖ３）。このとき、載置杆部２２から垂れ下がったペーパーＰと、ロールペーパーＲの外周面との間には、隙間Ｓ（図５参照）が形成される。この隙間Ｓが存在することにより、利用者が何ら阻害されることなく、ペーパーＰをつかみやすいようになっている。
【００２３】
続いて、図５に示すように、第１押え板１０を枢軸１３回りに回動させて（矢印Ｙ４）、ホルダー本体２の上面開口を蓋止する。そして、第２押え板部１７を載置杆部２２に載せられたペーパーＰ上に置き（矢印Ｙ５）、先板部１９を受け杆部２５上に置く（矢印Ｙ６）。このとき、ロールペーパーＲの上面は押え部材３８の突部１１で押えつけられている。一方、保持部２７はその長尺方向が前後方向を向いており、先板部１９の貫通溝部３０を通過して先板部１９の上方位置に配置される。そこで、保持部２７を約９０度水平方向に回転させると（矢印Ｙ７）、保持部２７の長尺方向が左右方向を向き、保持部２７は貫通溝部３０から抜脱できなくなって先板部１９を係止する。但し、先板部１９は、保持部２７に対して幾ぶん動くことができ、保持部２７を支点としてわずかながら上下方向（図５中の矢印Ｚ方向）に揺動自在となっている。
【００２４】
次に、図６に示すように、載置杆部２２から垂れ下がったペーパーＰの先端側を手Ｈで持ち、刃体２０に向けて近づけるとともに（矢印Ｖ４）、矢印Ｖ５のように使用に必要な分量のペーパーＰを引き出したのちにペーパーＰを持ち上げて（矢印Ｖ６）、ペーパーＰを刃体２０に近づける。
【００２５】
そうして、図７に示すように、利用者は、手ＨでペーパーＰを持ち上げて（矢印Ｖ７）、ペーパーＰの切断目標位置を刃体２０の切断刃部２０Ａに当てたのち、更にペーパーＰを矢印Ｖ８のように引き上げながら左右方向に引っぱる。これにより、保持部２７を揺動支点として、先板部１９は前端部１９Ａがわずかに持ち上がり（矢印Ｙ８）、後端部１９Ｂが押し下げられる（矢印Ｙ９）。これに伴って、第２押え板部１７の前端部１７Ａが押し下げられて載置杆部２２上のペーパーＰを押圧し、載置杆部２２上でのペーパーＰの摺動を阻止する。これと連動して、第２押え板部１７の後端部１７Ｂも押し下げられるので（矢印Ｙ１０）、第２押え板１０の突部１１はロールペーパーＲの上面をよりいっそう押さえつけて、ホルダー本体２に対するロールペーパーＲの回転を阻止するのである。
【００２６】
以上に述べたように、この実施形態のロールペーパーホルダー１によれば、ペーパーＰの切断時に保持部２７を支点として第２押え板部１７の前端部１７Ａが引き下げられてペーパーＰを載置杆部２２上に押し留め、同時に錘体部１２の重みで突部１１がロールペーパーＲの上面を押下するので、ロールペーパーＲの回転およびロールペーパーＲからのペーパーＰの繰り出しを阻止できる。その結果、ペーパーＰを片方の手Ｈで確実かつ容易に切断することができる。ペーパーＰが切断されたのちは、保持部２７によるガタつき保持と先板部１９の自重とにより、先板部１９の前端部１９Ａが下降して戻るので、ペーパーＰが切断刃部２０Ａにからむことを解消でき、ペーパーＰの先端は切断刃部２０Ａから自ずと離れ、図５に示したように載置杆部２２からぶら下がって次回につかまれやすい状態となる。他方で、保持部２７を貫通溝部３０から取り外して先板部１９および第２押え板部１７を持ち上げ得るので、載置杆部２２の上方を簡便に開放できる。従って、ロールペーパーＲから引き出したペーパーＰを載置杆部２２上に容易にセットすることができる。
【００２７】
更に、左右の支持用溝部８，８と軸部材９を有しているので、紙管無しロールペーパーＲと紙管付きロールペーパーＲ１（図９（Ｂ）（ａ）参照）のいずれでも、軸部材９を挿通して用いることができる（図９（Ｂ）（ｃ）参照）。特に、紙管無しロールペーパーＲを用いる場合は、中心近くまでのペーパーＰを多く使い切ることができ、最後に紙管４２を残すこともないので、経済的である。
【００２８】
尚、このロールペーパーホルダー１は、ペーパーＰの残量が少なくなったロールペーパーＲであっても、片手で確実にペーパーＰを切断することができる。例えば、図８はペーパーＰの残量が少なくなったロールペーパーＲを装着した例を示している。この場合、錘体部１２と第１押え板部１０の枢軸１３を結ぶ直線距離は、支持用溝部８の底にある軸部材９と第１押え板部１０の枢軸１３を結ぶ直線距離と近似する距離になるよう予め設定されている。これにより、ペーパーＰの残量が少なくなってロールペーパーＲのロール径が小さくなるほど、錘体部１２は軸部材９に近づいていくため、錘体部１２は常にロールペーパーＲの上面を押さえていることができる。すなわち、錘体部１２は、ペーパー残量が少なくなったロールペーパーＲの上面を突部１１とともに押えることができる。
【００２９】
また、上記の実施形態では、図９（Ａ）他に示すように、紙管無しのロールペーパーＲを用いた例を示したが、本発明はそれに限定されるものでない。例えば図９（Ｂ）に示したようなロールペーパーホルダー１ａも本発明に含まれる。このロールペーパーホルダー１ａは、ロール支持部７ａを有するホルダー本体２ａを備えていて、中心空洞部Ｃ１を有する紙管４２付きのロールペーパーＲ１を使用するものである。ロール支持部７ａは、側板部４，４の一体部５，５の内側面に形成された格納スペース４１，４１と、格納スペース４１，４１内に枢軸４０，４０回りに揺動自在に配備された軸部材９ａ，９ａと、から構成されている。尚、ホルダー本体２ａとロールペーパーＲ１以外の構成は、既述したロールペーパーホルダー１と同じである。すなわち、このロールペーパーホルダー１ａのような構成であっても、既述のロールペーパーホルダー１と同様の作用、効果を呈することは言うまでもない。尚、既述しているが、図９（Ｂ）（ｃ）のようにロールペーパーＲ１の中心空洞部Ｃ１内に軸部材９を挿通して、図９（Ａ）（ｂ）のホルダー本体２の支持用溝部８，８で用いることも可能である。
【符号の説明】
【００３０】
１，１ａ  ロールペーパーホルダー
２，２ａ  ホルダー本体
３  背板部
４  側板部
５  一体部
５Ａ  内側面
６  延板部
７，７ａ  ロール支持部
８  支持用溝部
９，９ａ  軸部材
１０  第１押え板部
１０Ａ  前端部
１０Ｂ  後端部
１１  突部
１２  錘体部
１５  ヒンジ部
１６  ヒンジ部
１７  第２押え板部
１７Ａ  前端部
１７Ｂ  後端部
１８  ヒンジ部
１９  先板部
１９Ａ  前端部
１９Ｂ  後端部
２０  刃体
２０Ａ  切断刃部
２２  載置杆部
２５  受け杆部
２６  連結板
２７  保持部
２８  軸部材
２９  軸穴
３０  貫通溝部
３８  隙間
Ｃ，Ｃ１  中心空洞部
Ｋ  壁面
Ｐ  ペーパー
Ｒ，Ｒ１  ロールペーパー
【図１】
2016129597.tif 000003
【図２】
2016129597.tif 000004
【図３】
2016129597.tif 000005
【図４】
2016129597.tif 000006
【図５】
2016129597.tif 000007
【図６】
2016129597.tif 000008
【図７】
2016129597.tif 000009
【図８】
2016129597.tif 000010
【図９】
2016129597.tif 000011